(57)【特許請求の範囲】
【請求項１】
現像剤を収容する収容槽と該収容槽内の空気を排出する排出口とを備える現像装置において、
前記排出口の開放端に設けられたフィルタと、
該フィルタより空気の流動方向の上流側に前記排出口の開口部を密閉するように設けられ、現像剤の通過を遮断するための導電性の遮断部材と、
該遮断部材に電圧を印加するための電源部と
を備え、
前記遮断部材は、
空気の流動方向に沿って配置された第１の遮断部及び第２の遮断部を備え、
前記電源部は、
前記第１の遮断部及び第２の遮断部夫々に逆極性の電圧を印加するようにしてあり、
前記遮断部材に印加された電圧により現像剤を遮断するように構成してあることを特徴とする現像装置。
【請求項２】
前記電源部は、
現像剤の帯電電圧と逆極性の電圧を印加するように構成してあることを特徴とする請求項１に記載の現像装置。
【請求項３】
前記電源部は、
正負両極性の交番電圧を印加するように構成してあることを特徴とする請求項１に記載の現像装置。
【請求項４】
前記遮断部材は、
現像剤の粒子径より大きい寸法の多孔を備えることを特徴とする請求項１から請求項３までのいずれか１つに記載の現像装置。
【請求項５】
現像剤を収容する収容槽と該収容槽内の空気を排出する排出口とを備える現像装置で感光体に形成された静電潜像を現像し、現像された静電潜像をシートに転写して画像を形成する画像形成装置において、
前記現像装置は、請求項１から請求項４までのいずれか１つに記載の現像装置であることを特徴とする画像形成装置。
【発明の詳細な説明】
【技術分野】
【０００１】
本発明は、現像剤を収容する収容槽と該収容槽内の空気を排出する排出口とを備える現像装置において、特に現像剤の飛散を長期間抑制することができる現像装置及び該現像装置を備える画像形成装置に関する。
【背景技術】
【０００２】
電子写真方式を採用する画像形成装置に備えられる現像装置は、像担持体である感光体の近傍に配置され、トナー及びキャリアからなる二成分の現像剤を収容する収容槽と、収容槽内に配置され、現像剤を感光体に付着させるべく感光体と平行な軸を中心として回転する現像ローラと、現像剤を攪拌して搬送する攪拌搬送ローラとを備える。
【０００３】
現像ローラは、その内部に周方向に沿って複数の磁石を設けてあり、磁石の磁力により現像ローラ表面にトナーを保持するようにしている。現像ローラの表面には、トナーの穂高を制御するためのドクターブレードが適宜の押圧を有して当接されている。
【０００４】
このような現像装置は、現像ローラの回転により現像ローラと収容槽との間隙から空気が収容槽内に流れ込み、収容槽内の圧力を増加させる。このため、収容槽内のトナーが現像ローラとドクターブレードとの間を通り抜けて現像装置の外部に飛散するという問題を有していた。
【０００５】
そこで、現像装置にフィルタを取り付けた排気口を設け、トナーが現像装置外部に飛散することを防止することができる現像装置が提案されている（特許文献１参照）。
【特許文献１】特開昭６２−１０８２７０号公報
【発明の開示】
【発明が解決しようとする課題】
【０００６】
しかしながら、特許文献１の現像装置にあっては、初期の使用状態においては、フィルタでトナーを捕獲して、トナーが飛散することを防止することができるものの、使用するにつれて、フィルタに付着したトナーがフィルタの目詰まりを発生させ、収容槽内の空気が排気口から外部へ排気されず、トナーが現像ローラとドクターブレードとの間から外部へ飛散するという問題があった。また、長期間使用した場合、フィルタの目詰まりが生じるため、フィルタ交換を行う必要があり、利用者にとってフィルタの交換時期を長期化して利便性を向上させることが望まれていた。
【０００７】
本発明は、斯かる事情に鑑みてなされたものであり、排出口より空気の流動方向の上流側に現像剤の通過を遮断するための導電性の遮断部材を設け、遮断部材は、空気の流動方向に沿って第１の遮断部及び第２の遮断部を備え、電源部で第１の遮断部及び第２の遮断部夫々に逆極性の電圧を印加して現像剤を遮断することにより、逆帯電現像剤が生じた場合でも、現像剤を遮断部材で遮断して現像剤（トナー）が外部に飛散することを防止することができる現像装置及び該現像装置を備える画像形成装置を提供することを目的とする。
【０００８】
また、本発明の他の目的は、電源部は、現像剤の帯電電圧と逆極性の電圧を印加することにより、現像剤（トナー）の帯電電圧の極性に拘わらず、空気の流れとともに飛散する現像剤を遮断部材で反発させて、現像剤（トナー）が外部に飛散することを防止することができる現像装置及び該現像装置を備える画像形成装置を提供することにある。
【０００９】
また、本発明の他の目的は、電源部は、正負両極性の交番電圧を印加することにより、現像剤（トナー）の帯電電圧の極性に拘わらず、現像剤を遮断部材で吸着させ、また、吸着した現像剤を遮断部材から離反させて、現像剤（トナー）が外部に飛散することを防止することができる現像装置及び該現像装置を備える画像形成装置を提供することにある。
【００１１】
また、本発明の他の目的は、遮断部材は、現像剤の粒子径より大きい寸法の多孔を備えることにより、現像剤を機械的に遮断することなく、遮断部材の目詰まりを抑制することができる現像装置及び該現像装置を備える画像形成装置を提供することにある。
【課題を解決するための手段】
【００１２】
本発明に係る現像装置は、現像剤を収容する収容槽と該収容槽内の空気を排出する排出口とを備える現像装置において、前記排出口の開放端に設けられたフィルタと、該フィルタより空気の流動方向の上流側に前記排出口の開口部を密閉するように設けられ、現像剤の通過を遮断するための導電性の遮断部材と、該遮断部材に電圧を印加するための電源部とを備え、前記遮断部材は、空気の流動方向に沿って配置された第１の遮断部及び第２の遮断部を備え、前記電源部は、前記第１の遮断部及び第２の遮断部夫々に逆極性の電圧を印加するようにしてあり、前記遮断部材に印加された電圧により現像剤を遮断するように構成してあることを特徴とする。
【００１３】
本発明に係る現像装置は、前記電源部は、現像剤の帯電電圧と逆極性の電圧を印加するように構成してあることを特徴とする。
【００１４】
本発明に係る現像装置は、前記電源部は、正負両極性の交番電圧を印加するように構成してあることを特徴とする。
【００１６】
本発明に係る現像装置は、前記遮断部材は、現像剤の粒子径より大きい寸法の多孔を備えることを特徴とする。
【００１７】
本発明に係る画像形成装置は、現像剤を収容する収容槽と該収容槽内の空気を排出する排出口とを備える現像装置で感光体に形成された静電潜像を現像し、現像された静電潜像をシートに転写して画像を形成する画像形成装置において、前記現像装置は、前述の本発明のいずれか１つに係る現像装置であることを特徴とする。
【００１８】
本発明にあっては、排出口より上流側に設けられた導電性の遮断部材に所要の電圧を印加する。例えば、正に帯電した現像剤を用いる場合、前記遮断部材に正の電圧を印加することにより、正に帯電した現像剤を前記遮断部材で反発させて、前記排出口の開口端には到達させない。また、負に帯電した現像剤を用いる場合、前記遮断部材に正の電圧を印加することにより、負に帯電した現像剤を前記遮断部材で吸着させて、前記排出口の開口端には到達させない。これにより、空気を通過させるとともに、現像剤を通過させないフィルタを前記排出口の開口端に設けている場合であっても、フィルタに現像剤が付着することを抑制する。同様に、負に帯電した現像剤を用いる場合、前記遮断部材に負の電圧を印加することにより、負に帯電した現像剤を前記遮断部材で反発させて、前記排出口の開口端には到達させない。また、正に帯電した現像剤を用いる場合、前記遮断部材に負の電圧を印加することにより、正に帯電した現像剤を前記遮断部材で吸着させて、前記排出口の開口端には到達させない。
また、空気の流動方向に沿って配置された第１の遮断部及び第２の遮断部を備え、該第１の遮断部及び第２の遮断部夫々に逆極性の電圧を印加する。正（又は負）に帯電した現像剤を用いる場合において、現像剤の攪拌が十分でないとき、又は現像剤を長期間放置した後に使用するときなどには、現像剤に逆極性（すなわち、負（又は正））の帯電分布を有する逆帯電現像剤が生じる。このような場合であっても、前記第１の遮断部及び第２の遮断部夫々で帯電極性の異なる現像剤を吸着させて前記排出口の開口端には到達させない。
【００１９】
本発明にあっては、遮断部材には、現像剤の帯電電圧と逆極性の電圧を印加する。例えば、正に帯電した現像剤を用いる場合、前記遮断部材に負の電圧を印加することにより、正に帯電した現像剤を前記遮断部材で吸着させて、前記排出口の開口端には到達させない。これにより、空気を通過させるとともに、現像剤を通過させないフィルタを前記排出口の開口端に設けている場合であっても、フィルタに現像剤が付着することを抑制する。同様に、負に帯電した現像剤を用いる場合、前記遮断部材に正の電圧を印加することにより、負に帯電した現像剤を前記遮断部材で吸着させて、前記排出口の開口端には到達させない。
【００２０】
本発明にあっては、遮断部材には、正負両極性の交番電圧を印加する。例えば、比較的低周波（１０Ｈｚ程度）の周波数で所定の波高値の矩形波電圧を遮断部材に印加することにより、正負両極性の現像剤を遮断部材に吸着させて捕獲する。また、比較的高周波（５００Ｈｚ〜２ｋＨｚ程度）の周波数で所定の波高値の正弦波電圧を遮断部材に印加することにより、遮断部材に吸着した現像剤を遮断部材から離反させて遮断部材をクリーニングする。
【００２２】
本発明にあっては、前記遮断部材は、現像剤の粒子径より大きい寸法の多孔を備えることにより、現像剤が遮断部材の多孔に付着して多孔が目詰まりすることを防止する。
【発明の効果】
【００２３】
本発明にあっては、排出口より空気の流動方向の上流側に現像剤の通過を遮断するための導電性の遮断部材を設け、電源部で該遮断部材に印加された電圧により現像剤を遮断することにより、現像剤（トナー）の帯電電圧の極性に拘わらず、空気の流れとともに飛散する現像剤を前記遮断部材で反発又は吸着させて、現像剤が外部に飛散することを防止することができる。また、排出口にフィルタが設けられている場合、現像剤によるフィルタの目詰まりを抑制して、フィルタ交換までの期間を従来よりも一層長期化して、利用者の利便性を向上させることができる。
また、空気の流動方向に沿って配置された第１の遮断部及び第２の遮断部を備え、該第１の遮断部及び第２の遮断部夫々に逆極性の電圧を印加することにより、逆帯電現像剤が生じた場合でも、現像剤を遮断部材で遮断して現像剤（トナー）が外部に飛散することを防止することができる。
【００２４】
本発明にあっては、電源部は、現像剤の帯電電圧と逆極性の電圧を印加することにより、現像剤（トナー）の帯電電圧の極性に拘わらず、空気の流れとともに飛散する現像剤を遮断部材で反発させて、現像剤が外部に飛散することを防止することができる。
【００２５】
本発明にあっては、電源部は、正負両極性の交番電圧を印加することにより、現像剤（トナー）の帯電電圧の極性に拘わらず、現像剤を遮断部材で吸着させ、また、吸着した現像剤を遮断部材から離反させて、現像剤が外部に飛散することを防止することができる。
【００２７】
本発明にあっては、遮断部材は、現像剤の粒子径より大きい寸法の多孔を備えることにより、現像剤を遮断部材で機械的に遮断させないため、遮断部材の多孔の目詰まりを抑制することができる。
【発明を実施するための最良の形態】
【００２８】
実施の形態１
以下、本発明を実施の形態を示す図面に基づいて説明する。図１は本発明に係る現像装置を備える画像形成装置の構成を示す模式図である。画像形成装置は、ブラック（Ｋ）、シアン（Ｃ）、マゼンダ（Ｍ）、イエロー（Ｙ）の各色のトナー像を形成するための４つの画像形成ユニットＳ１、Ｓ２、Ｓ３、Ｓ４を備え、各画像形成ユニットＳ１、Ｓ２、Ｓ３、Ｓ４は、後述する転写材搬送手段である転写搬送ベルト７の用紙１０の搬送方向に沿って上流側（用紙搬送方向の上流側）から下流側に向かって並置してある。各画像形成ユニットＳ１、Ｓ２、Ｓ３、Ｓ４の構成は同様であるので、ブラックの画像形成ユニットＳ１について説明し、他の画像形成ユニットについての説明は省略する。
【００２９】
図において、１はドラム状の感光体である。感光体１は、図中矢印方向に回転し、その周囲には、回転方向に沿って、帯電用ロールブラシ２、現像装置４、クリーニング装置３を配置してある。帯電用ロールブラシ２は、感光体１の表面に単一極性の電荷を均一に帯電させる。
【００３０】
帯電用ロールブラシ２と現像装置４との間の感光体１の表面には、書き込み光学系（不図示）からのレーザ光Ｌ（原稿からの反射光）の照射による光導電作用によって静電潜像が形成される。現像装置４は、静電潜像を形成した感光体１の表面にトナーを供給し、静電潜像を現像剤画像に顕像化する。
【００３１】
転写搬送ベルト７は、各画像形成ユニットＳ１、Ｓ２、Ｓ３、Ｓ４の現像装置４と、クリーニング装置３との間で感光体１に当接させてあり、当接位置近傍には、現像剤画像を用紙１０に転写させるための転写バイアスを印加する転写ブラシ６が、画像形成ユニット毎に配置してある。
【００３２】
トレイ１１に収容された用紙１０は、給紙コロ（不図示）によりトレイ１１から送り出され、一対のレジストローラ８で一旦停止された後、感光体１への画像形成とタイミングを合わせて転写搬送ベルト７へ送られる。転写搬送ベルト７に保持された用紙１０は、各感光体１との当接位置において、転写ブラシ６のコロナ放電により各色の現像剤画像（トナー像）が転写される。
【００３３】
各画像形成ユニットＳ１、Ｓ２、Ｓ３、Ｓ４で４色のトナー像が転写された用紙１０は定着装置９へ搬送される。定着装置９は、搬送された用紙１０を定着ローラで高温押圧してトナーを用紙１０に定着する。トナーが定着された用紙１０は、所定の排紙トレイ（不図示）に排出される。
【００３４】
図２は本発明に係る現像装置４の正面配置を示す模式図である。現像装置４は、水平方向に設けられた転写搬送ベルト７の搬送方向に沿って上流側から下流側に並置された各画像形成ユニットＳ１、Ｓ２、Ｓ３、Ｓ４内に設けられ、現像ローラ４１が感光体１に当接するように配置してあり、現像ローラ４１及び感光体１夫々は、例えば、図中矢印方向に示すようにカウンタ方向に回転する。
【００３５】
図において、４０は筐体である。筐体４０は、箱体状をなし、トナー及びキャリアからなる二成分の現像剤Ｔを収容する収容槽４８を備えている。収容槽４８には、感光体１の回転軸と平行に、円筒状の現像ローラ４１、現像剤Ｔを撹拌及び搬送する撹拌搬送ローラ４２ａ、４２ｂなどが適長の離隔寸法を有して配置されている。現像ローラ４１の表面と筐体４０の端部４０ａとの間隙には、筐体４０に固定され、現像ローラ４１の表面上の現像剤Ｔの穂高を所定の寸法に制御するための薄板状のドクターブレード４３を有する。ドクターブレード４３は、所定の押圧を有して現像ローラ４１表面に当接している。
【００３６】
収容槽４８には、所定量の現像剤Ｔを収容してあり、現像剤Ｔに占有されていない槽内空間４８ａが存在する。現像ローラ４１、撹拌搬送ローラ４２ａ、４２ｂには、各ローラを回転駆動させるためのモータ、ギアなどの駆動系（不図示）が設けられている。撹拌搬送ローラ４２ａ、４２ｂを回転させることにより、収容槽４８内の現像剤Ｔを撹拌・搬送し、現像ローラ４１の表面に保持された現像剤Ｔは、ドクターブレード４３により所定の穂高に制御され感光体１へ供給される。また、現像ローラ４１を回転させた場合、現像ローラ４１と筐体４０との間隙を通じて、現像装置４の外部から図中矢印方向に空気が流入する。例えば、現像ローラ４１の表面に保持された現像剤Ｔを収容槽４８に回収する際に、現像剤Ｔの穂立ちにより空気が一緒に収容槽４８内に巻き込まれる。
【００３７】
収容槽４８の撹拌搬送ローラ４２ａ近傍の槽壁には、開口部４７を設けてあり、開口部４７を通じて、収容槽４８を大気に連通する所定の寸法の排出口４４を設けてある。排出口４４の開放端には、空気を通過させるとともに、現像剤Ｔを通過させない程度の多孔性物質からなるフィルタ４５を設けてある。
【００３８】
排出口４４には、フィルタ４５より空気の流動方向の上流側に導電性の遮断板４６を、排出口４４の開口部を密閉するように設けてある。遮断板４６は、例えば、ステンレスの金網を補強材にステンレス微粉を塗布・焼結した構造とし、所定の厚さを有する。遮断板４６は、例えば、現像剤Ｔの粒子径が１０μｍ程度である場合、現像剤Ｔの粒子径より大きい５０μｍ程度の多孔を有する。
【００３９】
遮断板４６には、正極の直流電源を有する電源部１２を接続してあり、遮断板４６には、所定の正電圧が均一に印加される。これにより、現像剤Ｔが正電圧に帯電している場合、空気の流れに伴って飛散してくる現像剤Ｔを遮断板４６で反発させ、フィルタ４５には到達させない。また、現像剤Ｔが負電圧に帯電している場合、空気の流れに伴って飛散してくる現像剤Ｔを遮断板４６で吸着させ、フィルタ４５には到達させない。
【００４０】
次に現像装置４の動作について説明する。現像ローラ４１が回転することにより、外部から空気が槽内空間４８ａに流れ込む。外部から流入した空気は、矢印に示すように槽内空間４８ａ内を移動し、開口部４７を通じて排出口４４へ流れる。空気の流れとともに飛散した現像剤Ｔは、遮断板４６で反発又は吸着され、フィルタ４５には到達しない。
【００４１】
これにより、現像剤Ｔが付着することによるフィルタ４５の目詰まりを抑制することができ、フィルタ４５の交換までの期間を従来よりも一層長期化して、利用者の利便性を向上させることができる。また、フィルタ４５が目詰まりすることによる空気の排出低下を抑制することができ、現像ローラ４１の回転により現像装置４内に流れ込んだ空気が、現像ローラ４１表面とドクターブレード４３との間隙を通じて、現像装置４の外部へ流れることを防止し、空気の流れとともに、現像ローラ４１表面とドクターブレード４３との間隙から飛散する現像剤Ｔを抑制することができる。
【００４２】
また、遮断板４６は、現像剤Ｔの粒子径より大きい多孔を有するため、現像剤Ｔが遮断板４６に付着した場合（例えば、現像剤Ｔの粒子同士が重なって付着したような場合）であっても、目詰まりを生じることがなく、空気の流れを妨げることはない。
【００４３】
上述の実施の形態１では、正極の電圧を遮断板４６に印加する構成であったが、これに限定されるものではなく、負極の電圧を印加する構成であってもよい。
【００４４】
実施の形態２
実施の形態１では、直流電圧を遮断板４６に印加する構成であったが、これに限定されるものではなく、正負両極の交番電圧を印加することもできる。
【００４５】
図３は実施の形態２の現像装置４の正面配置を示す模式図である。実施の形態１との相違点は、直流電源を有する電源部１２に代えて、交流電源を有する電源部１３を用いる点であり、その他の箇所は同一であるので、同一符号を付して説明は省略する。
【００４６】
電源部１３は、例えば、周波数が１０Ｈｚ、波高値が±５００Ｖの矩形波電圧を遮断板４６へ印加する。これにより、現像剤Ｔの帯電電圧の極性が正負両極性である場合であっても、現像剤Ｔを遮断板４６に吸着させて捕獲することができる。
【００４７】
上述の実施の形態２では、矩形波電圧を遮断板４６に印加する構成であったが、これに限定されるものではなく、例えば、矩形波電圧に代えて、正弦波電圧を印加することもできる。正弦波電圧としては、例えば、周波数が５００Ｈｚ〜２ｋＨｚと矩形波電圧の場合に比べて高い周波数であり、波高値が±５００Ｖの正弦波電圧を遮断板４６へ印加する。これにより、遮断板４６に吸着した現像剤Ｔを離反させて遮断板４６をクリーニングすることができる。
【００４８】
実施の形態３
実施の形態２では、矩形波電圧又は正弦波電圧のいずれかを用いる構成であったが、両者を備えて必要に応じて切り換えて用いることもできる。
【００４９】
図４は実施の形態３の現像装置４の正面配置を示す模式図である。実施の形態２との相違点は、１つの交番電源を有する電源部１３に代えて、矩形波電圧及び正弦波電圧を印加する電源部１４を用いるとともに、電源部１４から印加される電圧を切り換える切換スイッチ１５、切換スイッチ１５を制御する制御部１６などを備える点であり、その他の箇所は同一であるので、同一符号を付して説明は省略する。
【００５０】
電源部１４は、例えば、周波数が５００Ｈｚ〜２ｋＨｚ、波高値が±５００Ｖの正弦波電圧を遮断板４６へ印加するための正弦波電源１４ａ、及び周波数が１０Ｈｚ、波高値が±５００Ｖの矩形波電圧を遮断板４６へ印加するための矩形波電源１４ｂを備える。切換スイッチ１５は、制御部１６から出力される制御信号に基づいて、正弦波電源１４ａ又は矩形波電源１４ｂのいずれかを切り換え、切り換えた電源からの電圧を遮断板４６へ印加する。
【００５１】
制御部１６は、例えば、ＣＰＵにより構成され、画像形成プロセスを制御する。制御部１６は、所要の頻度、現像装置４の使用状態などに応じて、正弦波電源１４ａ又は矩形波電源１４ｂのいずれかを切り換えための制御信号を切換スイッチ１５へ出力する。例えば、画像形成時には、矩形波電源１４ｂに切り換えるようにして、現像剤Ｔを遮断板４６で捕獲するようにし、画像形成処理を行っていない場合に、正弦波電源１４ａに切り換えるようにして、遮断板４６に付着した現像剤Ｔを離反して遮断板４６をクリーニングすることができる。
【００５２】
実施の形態４
上述の実施の形態１〜３においては、遮断板４６を１つ設ける構成であったが、これに限定されるものではなく、２つ以上設けることもできる。
【００５３】
図５は実施の形態４の現像装置４の正面配置を示す模式図である。実施の形態１〜３との相違点は、１つの遮断板４６に代えて、２つの遮断板４９ａ、４９ｂ、及び電源部１７などを備える点であり、その他の箇所は同一であるので、同一符号を付して説明は省略する。なお、遮断板４９ａ、４９ｂは、空気の流動方向に沿って配置され、遮断板４６と同様の構成、形状を有するが、厚みなどは適宜変更することもできる。
【００５４】
電源部１７は、正極の直流電源１７ａ及び負極の直流電源１７ｂを有し、正極の直流電源１７ａ及び負極の直流電源１７ｂ夫々は、遮断板４９ａ、４９ｂに接続されている。これにより、例えば、正に帯電した現像剤Ｔを用いる場合において、現像剤Ｔの攪拌が十分でないとき、又は現像剤Ｔを長期間放置した後に使用するときなどには、現像剤Ｔに逆極性（すなわち、負）の帯電分布を有する逆帯電現像剤が生じる。このような場合であっても、遮断板４９ａ、４９ｂ夫々で帯電電圧が異なる現像剤Ｔを吸着させてフィルタ４５には到達させない。
【００５５】
以上説明したように、本発明にあっては、現像剤Ｔ（トナー）の帯電電圧の極性に拘わらず、空気の流れとともに飛散する現像剤Ｔを遮断板４６、４９ａ、４９ｂで反発又は吸着させて、現像剤Ｔが外部に飛散することを防止することができる。また、現像剤Ｔによるフィルタ４５の目詰まりを抑制して、フィルタ４５の交換までの期間を従来よりも一層長期化して、利用者の利便性を向上させることができる。また、現像剤Ｔを遮断板４６、４９ａ、４９ｂで機械的に遮断させないため、遮断板４６、４９ａ、４９ｂの多孔の目詰まりを抑制することができる。
【００５６】
上述の実施の形態においては、画像形成装置は、いわゆる多段型について説明したが、これに限定されるものではなく、単一型の画像形成装置であってもよい。また、現像剤は、２成分に限定されるものではなく、１成分のものにも本発明を適用することができる。
【００５７】
上述の実施の形態においては、遮断板４６、４９ａ、４９ｂの構造は一例であって、これに限定されるものではない。例えば、現像装置の排出口の構造、形状などに応じて適宜所要の構成、形状とすることができる。
【００５８】
上述の実施の形態においては、遮断板４６、４９ａ、４９ｂに印加する電圧の波高値、周波数、波形などは一例であって、これに限定されるものではない。例えば、使用される現像剤の材質、種類、現像装置の収容槽の大きさ、形状などに応じて、適宜変更することが可能である。
【図面の簡単な説明】
【００５９】
【図１】本発明に係る現像装置を備える画像形成装置の構成を示す模式図である。
【図２】本発明に係る現像装置の正面配置を示す模式図である。
【図３】実施の形態２の現像装置の正面配置を示す模式図である。
【図４】実施の形態３の現像装置の正面配置を示す模式図である。
【図５】実施の形態４の現像装置の正面配置を示す模式図である。
【符号の説明】
【００６０】
１  感光体
４  現像装置
１２、１３、１４、１７  電源部
１４ａ  正弦波電源
１４ｂ  矩形波電源
１５  切換スイッチ
１６  制御部
１７ａ  正極の直流電源
１７ｂ  負極の直流電源
４０  筐体
４０ａ  端部
４１  現像ローラ
４２ａ、４２ｂ  撹拌搬送ローラ
４３  ドクターブレード
４４  排出口
４５  フィルタ
４６、４９ａ、４９ｂ  遮断板
４７  開口部
４８  収容槽
４８ａ  槽内空間
【図１】
0004646802.tif 000002
【図２】
0004646802.tif 000003
【図３】
0004646802.tif 000004
【図４】
0004646802.tif 000005
【図５】
0004646802.tif 000006